【手続補正書】
【提出日】令和3年9月30日(2021.9.30)
【手続補正１】
【補正対象書類名】特許請求の範囲
【補正対象項目名】全文
【補正方法】変更
【補正の内容】
【特許請求の範囲】
【請求項１】
コンピューティングデバイスであって、
コンピュータ命令を記憶するメモリと、
プロセッサとを備え、
前記プロセッサが、前記コンピュータ命令を実行するとき、
選択された神経行動学的表現型についての神経表現型トポグラフィを、前記選択された神経行動学的表現型についての神経行動学的表現型マッピングデータに基づいて生成する動作；
複数の遺伝子のうちの各遺伝子それぞれについての遺伝子型トポグラフィを、前記各遺伝子についての遺伝子発現マッピングデータに基づいて生成する動作；
前記選択された神経行動学的表現型と前記複数の遺伝子との間の複数の表現型−遺伝子ペアトポグラフィを定める動作であって、各表現型−遺伝子ペアそれぞれについての各表現型−遺伝子ペアトポグラフィが、前記選択された神経行動学的表現型の前記神経表現型トポグラフィと、前記各表現型−遺伝子ペアについての前記各遺伝子の前記遺伝子型トポグラフィとに基づいて定められる、前記定める動作；
前記複数の表現型−遺伝子ペアトポグラフィのうちの各々についての定量的スコアを、前記選択された神経行動学的表現型の前記神経表現型トポグラフィと、前記各表現型−遺伝子ペアについての前記各遺伝子の前記遺伝子型トポグラフィとの間の相関関係に基づいて決定する動作；
選択された閾値を超えるスコアをそれぞれ有する、前記複数の表現型−遺伝子ペアトポグラフィのうちの１つ以上を選択する動作；及び
前記選択された１つ以上の表現型−遺伝子ペアトポグラフィのそれぞれの前記遺伝子をユーザに表示する動作
を実施する、コンピューティングデバイス。
【請求項２】
（１）前記プロセッサが、前記コンピュータ命令を実行するとき、前記選択された１つ以上の表現型−遺伝子ペアトポグラフィのそれぞれの前記遺伝子に関連するそれぞれの神経薬物標的を１つ以上同定する動作を更に実施する、及び／又は、
（２）前記プロセッサが、前記選択された神経行動学的表現型を有する複数の人々のうちの各々についての前記神経行動学的表現型マッピングデータから前記神経表現型トポグラフィを生成するための更なるコンピュータ命令を実行することにより、前記神経表現型トポグラフィを生成する、及び／又は、
（３）前記プロセッサが、前記各遺伝子についての前記遺伝子発現マッピングデータと前記神経行動学的表現型マッピングデータとの間のアライメントに基づいて各表現型−遺伝子ペアトポグラフィについての統計的有意性を決定するための更なるコンピュータ命令を実行することにより、前記複数の表現型−遺伝子ペアトポグラフィのうちの各々についての前記スコアを決定する、及び／又は、
（４）前記プロセッサが、前記選択された神経行動学的表現型の前記神経表現型トポグラフィと、標的表現型−遺伝子ペアトポグラフィについての前記各遺伝子の前記遺伝子型トポグラフィとの間の決定された関連性の程度が最も高い前記標的表現型−遺伝子ペアトポグラフィを選択するための更なるコンピュータ命令を実行することにより、前記１つ以上の表現型−遺伝子ペアトポグラフィを選択する、及び／又は、
（５）前記複数の遺伝子のうちの各々についての前記遺伝子発現マッピングデータが、前記選択された神経行動学的表現型を有しない複数の人々からの複数の遺伝子発現に関する遺伝子発現マッピングデータを含み、前記プロセッサが、任意で、前記複数の人々の前記複数の遺伝子発現における前記複数の遺伝子のうちの各々についての代表的プローブを選択するための更なるコンピュータ命令を実行することにより、各遺伝子それぞれについての前記遺伝子型トポグラフィを生成する、及び／又は、
（６）前記プロセッサが、遺伝子発現マッピングサンプルを脳構造における部位にマッピングするための更なるコンピュータ命令を実行することにより、各遺伝子それぞれについての前記遺伝子型トポグラフィを生成する、及び／又は、
（７）前記プロセッサが、バックグラウンドシグナルを超える閾値レベル未満の発現レベル測定値を有するサンプルを除外することによって遺伝子発現マッピングサンプルをフィルタリングするための更なるコンピュータ命令を実行することにより、各遺伝子それぞれについての前記遺伝子型トポグラフィを生成する、及び／又は、
（８）前記プロセッサが、プローブ値が欠損している遺伝子発現マッピングサンプルにおいてプローブ値を補完するための更なるコンピュータ命令を実行することにより、各遺伝子それぞれについての前記遺伝子型トポグラフィを生成する、及び／又は、
（９）前記プロセッサが、前記遺伝子発現マッピングデータから外的バイアスを除去するための更なるコンピュータ命令を実行することにより、各遺伝子それぞれについての前記遺伝子型トポグラフィを生成し、かつ、任意で、前記プロセッサが、前記遺伝子発現マッピングデータを捕捉するために使用される遺伝子プローブにわたって平均値除去及びｚスコア正規化を行うための更なるコンピュータ命令を実行することにより、前記外的バイアスを除去する、
請求項１に記載のコンピューティングデバイス。
【請求項３】
前記プロセッサが、
（１）前記遺伝子発現マッピングデータにおけるシグナル対ノイズ比を高めるための更なるコンピュータ命令を実行することにより、各遺伝子それぞれについての前記遺伝子型トポグラフィを生成する、及び／又は、
（２）同じ表面頂点上にマッピングされたサンプルに関する前記遺伝子発現マッピングデータの発現レベルを平均化するための更なるコンピュータ命令を実行することにより、前記シグナル対ノイズ比を高める、及び／又は、
（３）低密度遺伝子発現サンプルを、サンプリングされた脳領域から、他のサンプリングされていない脳領域に内挿するための更なるコンピュータ命令を実行することにより、各遺伝子それぞれについての前記遺伝子型トポグラフィを生成し、かつ、任意で、区画化された皮質マップもしくは皮質下マップ、または高密度の皮質マップもしくは皮質下マップのうちの少なくとも１つを生成するための更なるコンピュータ命令を実行することにより、前記低密度遺伝子発現サンプルを内挿する、及び／又は、
（４）前記遺伝子発現マッピングデータにおける複数の脳領域のうちの各々に重み値を割り当てるための更なるコンピュータ命令を実行することにより、各遺伝子それぞれについての前記遺伝子型トポグラフィを生成する、
請求項１または２に記載のコンピューティングデバイス。
【請求項４】
前記プロセッサが、前記神経行動学的表現型マッピングデータにおける複数の脳領域のうちの各々に重み値を割り当てるための更なるコンピュータ命令を実行することにより、前記神経行動学的トポグラフィを生成する、請求項１〜３のいずれか一項に記載のコンピューティングデバイス。
【請求項５】
前記プロセッサが、
前記神経行動学的表現型マッピングデータにおける前記複数の脳領域のうちの第１の脳領域セットに対して閾値を超える第１の重み値セットを割り当て；かつ
前記神経行動学的表現型マッピングデータにおける前記複数の脳領域のうちの第２の脳領域セットに対して前記閾値未満の第２の重み値セットを割り当てる
ための更なるコンピュータ命令を実行することにより、前記複数の脳領域のうちの各々に前記重み値を割り当てる、請求項４に記載のコンピューティングデバイス。
【請求項６】
前記プロセッサが、標的脳領域に関連する情報を前記神経行動学的表現型マッピングデータから除去するように、前記複数の脳領域のうちの前記標的脳領域にマスキング重み値を割り当てるための更なるコンピュータ命令を実行することにより、前記複数の脳領域のうちの各々に前記重み値を割り当てる、請求項４に記載のコンピューティングデバイス。
【請求項７】
前記プロセッサが、前記神経行動学的表現型トポグラフィと、遺伝子の組み合わせに関する遺伝子型トポグラフィの組み合わせとの間の少なくとも１つの組み合わせ表現型−遺伝子ペアトポグラフィを定めるための更なるコンピュータ命令を実行することにより、前記複数の表現型−遺伝子ペアトポグラフィを定める、請求項１〜６のいずれか一項に記載のコンピューティングデバイスであって、
前記プロセッサが、前記コンピュータ命令を実行するとき、
前記選択された閾値を超える前記スコアをそれぞれ有する、前記複数の表現型−遺伝子ペアトポグラフィのうちの前記１つ以上として、前記少なくとも１つの組み合わせ表現型−遺伝子ペアトポグラフィを選択する動作；及び
前記遺伝子の組み合わせを前記ユーザに表示する動作
を、任意で、更に行う、前記コンピューティングデバイス。
【請求項８】
前記プロセッサが、前記コンピュータ命令を実行するとき、
個々の遺伝子または神経薬物標的それぞれについての遺伝子発現マッピングデータと神経行動学的表現型マッピングデータとのアライメントと比べて向上した、前記神経行動学的表現型マッピングデータとのアライメントを呈する遺伝子発現マッピングデータを組み合わせることにより、遺伝子または神経薬物標的の組み合わせを同定する動作
を更に行う、請求項１〜７のいずれか一項に記載のコンピューティングデバイス。
【請求項９】
コンピューティングデバイスであって、
コンピュータ命令を記憶するメモリと、
プロセッサとを備え、
前記プロセッサが、前記コンピュータ命令を実行するとき、
前記コンピューティングデバイスによって、選択された遺伝子についての遺伝子型トポグラフィを、前記選択された遺伝子についての遺伝子発現マッピングデータに基づいて生成する動作；
前記コンピューティングデバイスによって、複数の神経行動学的表現型のうちの各神経行動学的表現型それぞれについての神経表現型トポグラフィを、前記各神経行動学的表現型についての神経行動学的表現型マッピングデータに基づいて生成する動作；
前記コンピューティングデバイスによって、前記選択された遺伝子と前記複数の神経行動学的表現型との間の複数の遺伝子−表現型ペアトポグラフィを定める動作であって、各遺伝子−表現型ペアそれぞれについての各遺伝子−表現型ペアトポグラフィが、前記選択された遺伝子の前記遺伝子型トポグラフィと、前記各遺伝子−表現型ペアについての前記各神経行動学的表現型の前記神経表現型トポグラフィとに基づいて定められる、前記定める動作；
前記コンピューティングデバイスによって、前記複数の遺伝子−表現型ペアトポグラフィのうちの各々についての定量的スコアを、前記選択された遺伝子の前記遺伝子型トポグラフィと、前記各遺伝子−表現型ペアについての前記各神経行動学的表現型の前記神経表現型トポグラフィとの間の相関関係に基づいて決定する動作；
選択された閾値を超えるスコアをそれぞれ有する、前記複数の遺伝子−表現型ペアトポグラフィのうちの１つ以上を選択する動作；及び
前記選択された１つ以上の遺伝子−表現型ペアトポグラフィの前記各神経行動学的表現型をユーザに表示する動作
を実施する、前記コンピューティングデバイス。
【請求項１０】
（１）前記プロセッサが、前記コンピュータ命令を実行するとき、ユーザにより選択された神経薬物標的が前記選択された遺伝子に関連することに基づいて前記選択された遺伝子を選択する動作を更に実施する、及び／又は、
（２）前記プロセッサが、前記選択された神経行動学的表現型を有する複数の人々のうちの各々についての前記神経行動学的表現型マッピングデータから前記神経表現型トポグラフィを生成するための更なるコンピュータ命令を実行することにより、前記神経表現型トポグラフィを生成する、及び／又は、
（３）前記プロセッサが、前記各神経行動学的表現型についての前記神経行動学的表現型マッピングデータと前記遺伝子発現マッピングデータとの間のアライメントに基づいて各遺伝子−表現型ペアトポグラフィについての統計的有意性を決定するための更なるコンピュータ命令を実行することにより、前記複数の遺伝子−表現型ペアトポグラフィのうちの各々についての前記スコアを決定する、及び／又は、
（４）前記プロセッサが、前記選択された遺伝子の前記遺伝子型トポグラフィと、標的遺伝子−表現型ペアトポグラフィについての前記各神経行動学的表現型の前記神経表現型トポグラフィとの間の決定された関連性の程度が最も高い前記標的遺伝子−表現型ペアトポグラフィを選択するための更なるコンピュータ命令を実行することにより、前記１つ以上の遺伝子−表現型ペアトポグラフィを選択する、及び／又は、
（５）前記選択された遺伝子についての前記遺伝子発現マッピングデータが、前記複数の神経行動学的表現型のうちの１つを有しない複数の人々からの複数の遺伝子発現に関する遺伝子発現マッピングデータを含み、かつ、任意で、前記プロセッサが、前記複数の人々の前記複数の遺伝子発現における前記選択された遺伝子についての代表的プローブを選択するための更なるコンピュータ命令を実行することにより、前記選択された遺伝子についての前記遺伝子型トポグラフィを生成する、及び／又は、
（６）前記プロセッサが、遺伝子発現マッピングサンプルを脳構造における部位にマッピングするための更なるコンピュータ命令を実行することにより、前記選択された遺伝子についての前記遺伝子型トポグラフィを生成する、及び／又は、
（７）前記プロセッサが、バックグラウンドシグナルを超える閾値レベル未満の発現レベル測定値を有するサンプルを除外することによって遺伝子発現マッピングサンプルをフィルタリングするための更なるコンピュータ命令を実行することにより、前記選択された遺伝子についての前記遺伝子型トポグラフィを生成する、及び／又は、
（８）前記プロセッサが、プローブ値が欠損している遺伝子発現マッピングサンプルにおいてプローブ値を補完するための更なるコンピュータ命令を実行することにより、前記選択された遺伝子についての前記遺伝子型トポグラフィを生成する、及び／又は、
（９）前記プロセッサが、前記遺伝子発現マッピングデータから外的バイアスを除去するための更なるコンピュータ命令を実行することにより、前記選択された遺伝子についての前記遺伝子型トポグラフィを生成し、かつ、任意で、前記遺伝子発現マッピングデータを捕捉するために使用される遺伝子プローブにわたって平均値除去及びｚスコア正規化を行うための更なるコンピュータ命令を実行することにより、前記外的バイアスを除去する、及び／又は、
（１０）前記プロセッサが、前記遺伝子発現マッピングデータにおけるシグナル対ノイズ比を高めるための更なるコンピュータ命令を実行することにより、前記選択された遺伝子についての前記遺伝子型トポグラフィを生成し、かつ、任意で、同じ表面頂点上にマッピングされたサンプルに関する前記遺伝子発現マッピングデータの発現レベルを平均化するための更なるコンピュータ命令を実行することにより、前記シグナル対ノイズ比を高める、及び／又は、
（１１）前記プロセッサが、低密度遺伝子発現サンプルを、サンプリングされた脳領域から、他のサンプリングされていない脳領域に内挿するための更なるコンピュータ命令を実行することにより、前記選択された遺伝子についての前記遺伝子型トポグラフィを生成し、かつ、任意で、区画化された皮質マップもしくは皮質下マップ、または高密度の皮質マップもしくは皮質下マップのうちの少なくとも１つを生成するための更なるコンピュータ命令を実行することにより、前記低密度遺伝子発現サンプルを内挿する、及び／又は、
（１２）前記プロセッサが、前記遺伝子発現マッピングデータにおける複数の脳領域のうちの各々に重み値を割り当てるための更なるコンピュータ命令を実行することにより、前記選択された遺伝子についての前記遺伝子型トポグラフィを生成する、及び／又は、
（１３）前記プロセッサが、前記コンピュータ命令を実行するとき、個々の神経行動学的表現型それぞれについての神経表現型マッピングデータと遺伝子発現マッピングデータとのアライメントと比べて向上した、前記遺伝子発現マッピングデータとのアライメントを呈する神経表現型マッピングデータを組み合わせることにより、神経行動学的表現型の組み合わせを同定する動作を更に行う、
請求項９に記載のコンピューティングデバイス。
【請求項１１】
前記プロセッサが、前記神経行動学的表現型マッピングデータにおける複数の脳領域のうちの各々に重み値を割り当てるための更なるコンピュータ命令を実行することにより、各神経行動学的表現型それぞれについての前記神経行動学的トポグラフィを生成する、請求項９又は１０に記載のコンピューティングデバイス。
【請求項１２】
前記プロセッサが、
前記神経行動学的表現型マッピングデータにおける前記複数の脳領域のうちの第１の脳領域セットに対して閾値を超える第１の重み値セットを割り当て、かつ、
前記神経行動学的表現型マッピングデータにおける前記複数の脳領域のうちの第２の脳領域セットに対して前記閾値未満の第２の重み値セットを割り当てる
ための更なるコンピュータ命令を実行することにより、前記複数の脳領域のうちの各々に前記重み値を割り当てる、請求項１１に記載のコンピューティングデバイス。
【請求項１３】
前記プロセッサが、標的脳領域に関連する情報を前記神経行動学的表現型マッピングデータから除去するように、前記複数の脳領域のうちの前記標的脳領域にマスキング重み値を割り当てるための更なるコンピュータ命令を実行することにより、前記複数の脳領域のうちの各々に前記重み値を割り当てる、請求項１１に記載のコンピューティングデバイス。
【請求項１４】
前記プロセッサが、前記遺伝子型トポグラフィと、神経行動学的表現型の組み合わせに関する神経表現型トポグラフィの組み合わせとの間の少なくとも１つの組み合わせ遺伝子−表現型ペアトポグラフィを定めるための更なるコンピュータ命令を実行することにより、前記複数の遺伝子−表現型ペアトポグラフィを定める、請求項９〜１３のいずれか一項に記載のコンピューティングデバイスであって、
前記プロセッサが、前記コンピュータ命令を実行するとき、
前記選択された閾値を超える前記スコアをそれぞれ有する、前記複数の遺伝子−表現型ペアトポグラフィのうちの前記１つ以上として、前記少なくとも１つの組み合わせ遺伝子−表現型ペアトポグラフィを選択する動作；及び
前記神経行動学的表現型の組み合わせを前記ユーザに表示する動作
を、任意で、更に行う、前記コンピューティングデバイス。
【請求項１５】
前記神経行動学的表現型マッピングデータが、脳障害、症状、または認知プロセスのうちの１つに関するものである、請求項１〜１４のいずれか一項に記載のコンピューティングデバイス。
【手続補正２】
【補正対象書類名】明細書
【補正対象項目名】００４８
【補正方法】変更
【補正の内容】
【００４８】
したがって、本発明の遺伝子−神経表現型アライメントトポグラフィアプローチを使用して定められた神経回路の境界は、従来の神経回路の境界から逸脱する場合がある。この逸脱の一例は、所与の疾患に関連する神経表現型変動マップが、１つより多くの遺伝子マップと最大のアライメントを呈するため、そのような複数の遺伝子のアライメントなしでは従来は同定不可能な回路にわたるアライメントをもたらすということであり得る。
［本発明１００１］
コンピューティングデバイスであって、
コンピュータ命令を記憶するメモリと、
プロセッサとを備え、
前記プロセッサが、前記コンピュータ命令を実行するとき、
選択された神経行動学的表現型についての神経表現型トポグラフィを、前記選択された神経行動学的表現型についての神経行動学的表現型マッピングデータに基づいて生成する動作；
複数の遺伝子のうちの各遺伝子それぞれについての遺伝子型トポグラフィを、前記各遺伝子についての遺伝子発現マッピングデータに基づいて生成する動作；
前記選択された神経行動学的表現型と前記複数の遺伝子との間の複数の表現型−遺伝子ペアトポグラフィを定める動作であって、各表現型−遺伝子ペアそれぞれについての各表現型−遺伝子ペアトポグラフィが、前記選択された神経行動学的表現型の前記神経表現型トポグラフィと、前記各表現型−遺伝子ペアについての前記各遺伝子の前記遺伝子型トポグラフィとに基づいて定められる、前記定める動作；
前記複数の表現型−遺伝子ペアトポグラフィのうちの各々についての定量的スコアを、前記選択された神経行動学的表現型の前記神経表現型トポグラフィと、前記各表現型−遺伝子ペアについての前記各遺伝子の前記遺伝子型トポグラフィとの間の相関関係に基づいて決定する動作；
選択された閾値を超えるスコアをそれぞれ有する、前記複数の表現型−遺伝子ペアトポグラフィのうちの１つ以上を選択する動作；及び
前記選択された１つ以上の表現型−遺伝子ペアトポグラフィのそれぞれの前記遺伝子をユーザに表示する動作
を実施する、コンピューティングデバイス。
［本発明１００２］
前記プロセッサが、前記コンピュータ命令を実行するとき、前記選択された１つ以上の表現型−遺伝子ペアトポグラフィのそれぞれの前記遺伝子に関連するそれぞれの神経薬物標的を１つ以上同定する動作を更に実施する、本発明１００１のコンピューティングデバイス。
［本発明１００３］
前記プロセッサが、前記選択された神経行動学的表現型を有する複数の人々のうちの各々についての前記神経行動学的表現型マッピングデータから前記神経表現型トポグラフィを生成するための更なるコンピュータ命令を実行することにより、前記神経表現型トポグラフィを生成する、本発明１００１のコンピューティングデバイス。
［本発明１００４］
前記プロセッサが、前記各遺伝子についての前記遺伝子発現マッピングデータと前記神経行動学的表現型マッピングデータとの間のアライメントに基づいて各表現型−遺伝子ペアトポグラフィについての統計的有意性を決定するための更なるコンピュータ命令を実行することにより、前記複数の表現型−遺伝子ペアトポグラフィのうちの各々についての前記スコアを決定する、本発明１００１のコンピューティングデバイス。
［本発明１００５］
前記プロセッサが、前記選択された神経行動学的表現型の前記神経表現型トポグラフィと、標的表現型−遺伝子ペアトポグラフィについての前記各遺伝子の前記遺伝子型トポグラフィとの間の決定された関連性の程度が最も高い前記標的表現型−遺伝子ペアトポグラフィを選択するための更なるコンピュータ命令を実行することにより、前記１つ以上の表現型−遺伝子ペアトポグラフィを選択する、本発明１００１のコンピューティングデバイス。
［本発明１００６］
前記複数の遺伝子のうちの各々についての前記遺伝子発現マッピングデータが、前記選択された神経行動学的表現型を有しない複数の人々からの複数の遺伝子発現に関する遺伝子発現マッピングデータを含む、本発明１００１のコンピューティングデバイス。
［本発明１００７］
前記プロセッサが、前記複数の人々の前記複数の遺伝子発現における前記複数の遺伝子のうちの各々についての代表的プローブを選択するための更なるコンピュータ命令を実行することにより、各遺伝子それぞれについての前記遺伝子型トポグラフィを生成する、本発明１００６のコンピューティングデバイス。
［本発明１００８］
前記プロセッサが、遺伝子発現マッピングサンプルを脳構造における部位にマッピングするための更なるコンピュータ命令を実行することにより、各遺伝子それぞれについての前記遺伝子型トポグラフィを生成する、本発明１００１のコンピューティングデバイス。
［本発明１００９］
前記プロセッサが、バックグラウンドシグナルを超える閾値レベル未満の発現レベル測定値を有するサンプルを除外することによって遺伝子発現マッピングサンプルをフィルタリングするための更なるコンピュータ命令を実行することにより、各遺伝子それぞれについての前記遺伝子型トポグラフィを生成する、本発明１００１のコンピューティングデバイス。
［本発明１０１０］
前記プロセッサが、プローブ値が欠損している遺伝子発現マッピングサンプルにおいてプローブ値を補完するための更なるコンピュータ命令を実行することにより、各遺伝子それぞれについての前記遺伝子型トポグラフィを生成する、本発明１００１のコンピューティングデバイス。
［本発明１０１１］
前記プロセッサが、前記遺伝子発現マッピングデータから外的バイアスを除去するための更なるコンピュータ命令を実行することにより、各遺伝子それぞれについての前記遺伝子型トポグラフィを生成する、本発明１００１のコンピューティングデバイス。
［本発明１０１２］
前記プロセッサが、前記遺伝子発現マッピングデータを捕捉するために使用される遺伝子プローブにわたって平均値除去及びｚスコア正規化を行うための更なるコンピュータ命令を実行することにより、前記外的バイアスを除去する、本発明１０１１のコンピューティングデバイス。
［本発明１０１３］
前記プロセッサが、前記遺伝子発現マッピングデータにおけるシグナル対ノイズ比を高めるための更なるコンピュータ命令を実行することにより、各遺伝子それぞれについての前記遺伝子型トポグラフィを生成する、本発明１００１のコンピューティングデバイス。
［本発明１０１４］
前記プロセッサが、同じ表面頂点上にマッピングされたサンプルに関する前記遺伝子発現マッピングデータの発現レベルを平均化するための更なるコンピュータ命令を実行することにより、前記シグナル対ノイズ比を高める、本発明１０１３のコンピューティングデバイス。
［本発明１０１５］
前記プロセッサが、低密度遺伝子発現サンプルを、サンプリングされた脳領域から、他のサンプリングされていない脳領域に内挿するための更なるコンピュータ命令を実行することにより、各遺伝子それぞれについての前記遺伝子型トポグラフィを生成する、本発明１００１のコンピューティングデバイス。
［本発明１０１６］
前記プロセッサが、区画化された皮質マップもしくは皮質下マップ、または高密度の皮質マップもしくは皮質下マップのうちの少なくとも１つを生成するための更なるコンピュータ命令を実行することにより、前記低密度遺伝子発現サンプルを内挿する、本発明１０１５のコンピューティングデバイス。
［本発明１０１７］
前記プロセッサが、前記遺伝子発現マッピングデータにおける複数の脳領域のうちの各々に重み値を割り当てるための更なるコンピュータ命令を実行することにより、各遺伝子それぞれについての前記遺伝子型トポグラフィを生成する、本発明１００１のコンピューティングデバイス。
［本発明１０１８］
前記プロセッサが、前記神経行動学的表現型マッピングデータにおける複数の脳領域のうちの各々に重み値を割り当てるための更なるコンピュータ命令を実行することにより、前記神経行動学的トポグラフィを生成する、本発明１００１のコンピューティングデバイス。
［本発明１０１９］
前記プロセッサが、
前記神経行動学的表現型マッピングデータにおける前記複数の脳領域のうちの第１の脳領域セットに対して閾値を超える第１の重み値セットを割り当て；かつ
前記神経行動学的表現型マッピングデータにおける前記複数の脳領域のうちの第２の脳領域セットに対して前記閾値未満の第２の重み値セットを割り当てる
ための更なるコンピュータ命令を実行することにより、前記複数の脳領域のうちの各々に前記重み値を割り当てる、本発明１０１８のコンピューティングデバイス。
［本発明１０２０］
前記プロセッサが、標的脳領域に関連する情報を前記神経行動学的表現型マッピングデータから除去するように、前記複数の脳領域のうちの前記標的脳領域にマスキング重み値を割り当てるための更なるコンピュータ命令を実行することにより、前記複数の脳領域のうちの各々に前記重み値を割り当てる、本発明１０１８のコンピューティングデバイス。
［本発明１０２１］
前記プロセッサが、前記神経行動学的表現型トポグラフィと、遺伝子の組み合わせに関する遺伝子型トポグラフィの組み合わせとの間の少なくとも１つの組み合わせ表現型−遺伝子ペアトポグラフィを定めるための更なるコンピュータ命令を実行することにより、前記複数の表現型−遺伝子ペアトポグラフィを定める、本発明１００１のコンピューティングデバイス。
［本発明１０２２］
前記プロセッサが、前記コンピュータ命令を実行するとき、
前記選択された閾値を超える前記スコアをそれぞれ有する、前記複数の表現型−遺伝子ペアトポグラフィのうちの前記１つ以上として、前記少なくとも１つの組み合わせ表現型−遺伝子ペアトポグラフィを選択する動作；及び
前記遺伝子の組み合わせを前記ユーザに表示する動作
を更に行う、本発明１０２１のコンピューティングデバイス。
［本発明１０２３］
前記プロセッサが、前記コンピュータ命令を実行するとき、
個々の遺伝子または神経薬物標的それぞれについての遺伝子発現マッピングデータと神経行動学的表現型マッピングデータとのアライメントと比べて向上した、前記神経行動学的表現型マッピングデータとのアライメントを呈する遺伝子発現マッピングデータを組み合わせることにより、遺伝子または神経薬物標的の組み合わせを同定する動作
を更に行う、本発明１００１のコンピューティングデバイス。
［本発明１０２４］
前記神経行動学的表現型マッピングデータが、脳障害、症状、または認知プロセスのうちの１つに関するものである、本発明１００１のコンピューティングデバイス。
［本発明１０２５］
コンピューティングデバイスによって、選択された神経表現型についての神経表現型マッピングデータを得る工程；
前記コンピューティングデバイスによって、１つ以上の遺伝子についての遺伝子発現マッピングデータを得る工程；
前記コンピューティングデバイスによって、前記選択された神経行動学的表現型と前記１つ以上の遺伝子のうちの各遺伝子との間の各表現型−遺伝子ペアそれぞれについての定量的スコアを、前記選択された神経行動学的表現型についての前記神経行動学的表現型マッピングデータと、前記各表現型−遺伝子ペアの前記各遺伝子についての前記遺伝子発現マッピングデータとの間の相関関係に基づいて決定する工程；及び
前記コンピューティングデバイスによって、各表現型−遺伝子ペアについて決定された前記スコアをユーザに提示する工程
を含む、方法。
［本発明１０２６］
コンピューティングデバイスであって、
コンピュータ命令を記憶するメモリと、
プロセッサとを備え、
前記プロセッサが、前記コンピュータ命令を実行するとき、
前記コンピューティングデバイスによって、選択された遺伝子についての遺伝子型トポグラフィを、前記選択された遺伝子についての遺伝子発現マッピングデータに基づいて生成する動作；
前記コンピューティングデバイスによって、複数の神経行動学的表現型のうちの各神経行動学的表現型それぞれについての神経表現型トポグラフィを、前記各神経行動学的表現型についての神経行動学的表現型マッピングデータに基づいて生成する動作；
前記コンピューティングデバイスによって、前記選択された遺伝子と前記複数の神経行動学的表現型との間の複数の遺伝子−表現型ペアトポグラフィを定める動作であって、各遺伝子−表現型ペアそれぞれについての各遺伝子−表現型ペアトポグラフィが、前記選択された遺伝子の前記遺伝子型トポグラフィと、前記各遺伝子−表現型ペアについての前記各神経行動学的表現型の前記神経表現型トポグラフィとに基づいて定められる、前記定める動作；
前記コンピューティングデバイスによって、前記複数の遺伝子−表現型ペアトポグラフィのうちの各々についての定量的スコアを、前記選択された遺伝子の前記遺伝子型トポグラフィと、前記各遺伝子−表現型ペアについての前記各神経行動学的表現型の前記神経表現型トポグラフィとの間の相関関係に基づいて決定する動作；
選択された閾値を超えるスコアをそれぞれ有する、前記複数の遺伝子−表現型ペアトポグラフィのうちの１つ以上を選択する動作；及び
前記選択された１つ以上の遺伝子−表現型ペアトポグラフィの前記各神経行動学的表現型をユーザに表示する動作
を実施する、前記コンピューティングデバイス。
［本発明１０２７］
前記プロセッサが、前記コンピュータ命令を実行するとき、ユーザにより選択された神経薬物標的が前記選択された遺伝子に関連することに基づいて前記選択された遺伝子を選択する動作を更に実施する、本発明１０２６のコンピューティングデバイス。
［本発明１０２８］
前記プロセッサが、前記選択された神経行動学的表現型を有する複数の人々のうちの各々についての前記神経行動学的表現型マッピングデータから前記神経表現型トポグラフィを生成するための更なるコンピュータ命令を実行することにより、前記神経表現型トポグラフィを生成する、本発明１０２６のコンピューティングデバイス。
［本発明１０２９］
前記プロセッサが、前記各神経行動学的表現型についての前記神経行動学的表現型マッピングデータと前記遺伝子発現マッピングデータとの間のアライメントに基づいて各遺伝子−表現型ペアトポグラフィについての統計的有意性を決定するための更なるコンピュータ命令を実行することにより、前記複数の遺伝子−表現型ペアトポグラフィのうちの各々についての前記スコアを決定する、本発明１０２６のコンピューティングデバイス。
［本発明１０３０］
前記プロセッサが、前記選択された遺伝子の前記遺伝子型トポグラフィと、標的遺伝子−表現型ペアトポグラフィについての前記各神経行動学的表現型の前記神経表現型トポグラフィとの間の決定された関連性の程度が最も高い前記標的遺伝子−表現型ペアトポグラフィを選択するための更なるコンピュータ命令を実行することにより、前記１つ以上の遺伝子−表現型ペアトポグラフィを選択する、本発明１０２６のコンピューティングデバイス。
［本発明１０３１］
前記選択された遺伝子についての前記遺伝子発現マッピングデータが、前記複数の神経行動学的表現型のうちの１つを有しない複数の人々からの複数の遺伝子発現に関する遺伝子発現マッピングデータを含む、本発明１０２６のコンピューティングデバイス。
［本発明１０３２］
前記プロセッサが、前記複数の人々の前記複数の遺伝子発現における前記選択された遺伝子についての代表的プローブを選択するための更なるコンピュータ命令を実行することにより、前記選択された遺伝子についての前記遺伝子型トポグラフィを生成する、本発明１０３１のコンピューティングデバイス。
［本発明１０３３］
前記プロセッサが、遺伝子発現マッピングサンプルを脳構造における部位にマッピングするための更なるコンピュータ命令を実行することにより、前記選択された遺伝子についての前記遺伝子型トポグラフィを生成する、本発明１０２６のコンピューティングデバイス。
［本発明１０３４］
前記プロセッサが、バックグラウンドシグナルを超える閾値レベル未満の発現レベル測定値を有するサンプルを除外することによって遺伝子発現マッピングサンプルをフィルタリングするための更なるコンピュータ命令を実行することにより、前記選択された遺伝子についての前記遺伝子型トポグラフィを生成する、本発明１０２６のコンピューティングデバイス。
［本発明１０３５］
前記プロセッサが、プローブ値が欠損している遺伝子発現マッピングサンプルにおいてプローブ値を補完するための更なるコンピュータ命令を実行することにより、前記選択された遺伝子についての前記遺伝子型トポグラフィを生成する、本発明１０２６のコンピューティングデバイス。
［本発明１０３６］
前記プロセッサが、前記遺伝子発現マッピングデータから外的バイアスを除去するための更なるコンピュータ命令を実行することにより、前記選択された遺伝子についての前記遺伝子型トポグラフィを生成する、本発明１０２６のコンピューティングデバイス。
［本発明１０３７］
前記プロセッサが、前記遺伝子発現マッピングデータを捕捉するために使用される遺伝子プローブにわたって平均値除去及びｚスコア正規化を行うための更なるコンピュータ命令を実行することにより、前記外的バイアスを除去する、本発明１０３６のコンピューティングデバイス。
［本発明１０３８］
前記プロセッサが、前記遺伝子発現マッピングデータにおけるシグナル対ノイズ比を高めるための更なるコンピュータ命令を実行することにより、前記選択された遺伝子についての前記遺伝子型トポグラフィを生成する、本発明１０２６のコンピューティングデバイス。
［本発明１０３９］
前記プロセッサが、同じ表面頂点上にマッピングされたサンプルに関する前記遺伝子発現マッピングデータの発現レベルを平均化するための更なるコンピュータ命令を実行することにより、前記シグナル対ノイズ比を高める、本発明１０３８のコンピューティングデバイス。
［本発明１０４０］
前記プロセッサが、低密度遺伝子発現サンプルを、サンプリングされた脳領域から、他のサンプリングされていない脳領域に内挿するための更なるコンピュータ命令を実行することにより、前記選択された遺伝子についての前記遺伝子型トポグラフィを生成する、本発明１０２６のコンピューティングデバイス。
［本発明１０４１］
前記プロセッサが、区画化された皮質マップもしくは皮質下マップ、または高密度の皮質マップもしくは皮質下マップのうちの少なくとも１つを生成するための更なるコンピュータ命令を実行することにより、前記低密度遺伝子発現サンプルを内挿する、本発明１０４０のコンピューティングデバイス。
［本発明１０４２］
前記プロセッサが、前記遺伝子発現マッピングデータにおける複数の脳領域のうちの各々に重み値を割り当てるための更なるコンピュータ命令を実行することにより、前記選択された遺伝子についての前記遺伝子型トポグラフィを生成する、本発明１０２６のコンピューティングデバイス。
［本発明１０４３］
前記プロセッサが、前記神経行動学的表現型マッピングデータにおける複数の脳領域のうちの各々に重み値を割り当てるための更なるコンピュータ命令を実行することにより、各神経行動学的表現型それぞれについての前記神経行動学的トポグラフィを生成する、本発明１０２６のコンピューティングデバイス。
［本発明１０４４］
前記プロセッサが、
前記神経行動学的表現型マッピングデータにおける前記複数の脳領域のうちの第１の脳領域セットに対して閾値を超える第１の重み値セットを割り当て、かつ、
前記神経行動学的表現型マッピングデータにおける前記複数の脳領域のうちの第２の脳領域セットに対して前記閾値未満の第２の重み値セットを割り当てる
ための更なるコンピュータ命令を実行することにより、前記複数の脳領域のうちの各々に前記重み値を割り当てる、本発明１０４３のコンピューティングデバイス。
［本発明１０４５］
前記プロセッサが、標的脳領域に関連する情報を前記神経行動学的表現型マッピングデータから除去するように、前記複数の脳領域のうちの前記標的脳領域にマスキング重み値を割り当てるための更なるコンピュータ命令を実行することにより、前記複数の脳領域のうちの各々に前記重み値を割り当てる、本発明１０４３のコンピューティングデバイス。
［本発明１０４６］
前記プロセッサが、前記遺伝子型トポグラフィと、神経行動学的表現型の組み合わせに関する神経表現型トポグラフィの組み合わせとの間の少なくとも１つの組み合わせ遺伝子−表現型ペアトポグラフィを定めるための更なるコンピュータ命令を実行することにより、前記複数の遺伝子−表現型ペアトポグラフィを定める、本発明１０２６のコンピューティングデバイス。
［本発明１０４７］
前記プロセッサが、前記コンピュータ命令を実行するとき、
前記選択された閾値を超える前記スコアをそれぞれ有する、前記複数の遺伝子−表現型ペアトポグラフィのうちの前記１つ以上として、前記少なくとも１つの組み合わせ遺伝子−表現型ペアトポグラフィを選択する動作；及び
前記神経行動学的表現型の組み合わせを前記ユーザに表示する動作
を更に行う、本発明１０４６のコンピューティングデバイス。
［本発明１０４８］
前記プロセッサが、前記コンピュータ命令を実行するとき、
個々の神経行動学的表現型それぞれについての神経表現型マッピングデータと遺伝子発現マッピングデータとのアライメントと比べて向上した、前記遺伝子発現マッピングデータとのアライメントを呈する神経表現型マッピングデータを組み合わせることにより、神経行動学的表現型の組み合わせを同定する動作
を更に行う、本発明１０２６のコンピューティングデバイス。
［本発明１０４９］
前記神経行動学的表現型マッピングデータが、脳障害、症状、または認知プロセスのうちの１つに関するものである、本発明１０２６のコンピューティングデバイス。
［本発明１０５０］
コンピューティングデバイスによって、１つ以上の遺伝子についての遺伝子発現マッピングデータを得る工程；
コンピューティングデバイスによって、選択された神経表現型についての神経表現型マッピングデータを得る工程；
コンピューティングデバイスによって、前記選択された遺伝子と前記１つ以上の神経行動学的表現型のうちの各神経表現型との間の各遺伝子−表現型ペアそれぞれについての定量的スコアを、前記選択された遺伝子についての前記遺伝子発現マッピングデータと、前記各遺伝子−表現型ペアの前記各神経行動学的表現型についての前記神経表現型マッピングデータとの間の相関関係に基づいて決定する工程；及び
コンピューティングデバイスによって、各遺伝子−表現型ペアについて決定された前記スコアをユーザに提示する工程
を含む、方法。
［本発明１０５１］
コンピューティングデバイスであって、
コンピュータ命令を記憶するメモリと、
プロセッサとを備え、
前記プロセッサが、前記コンピュータ命令を実行するとき、
複数の遺伝子についての複数の遺伝子型トポグラフィを、各遺伝子それぞれについての各遺伝子発現マッピングデータに基づいて生成する動作；
前記複数の遺伝子のうちの第１の遺伝子について、前記複数の遺伝子型トポグラフィから第１の遺伝子型トポグラフィを選択する動作；
前記複数の遺伝子のうちの複数の第２の遺伝子について、前記複数の遺伝子型トポグラフィから複数の第２の遺伝子型トポグラフィを選択する動作；
前記第１の遺伝子と前記複数の第２の遺伝子との間の複数の遺伝子−遺伝子ペアトポグラフィを定める動作であって、各遺伝子−遺伝子ペアそれぞれについての各遺伝子−遺伝子ペアトポグラフィが、選択された遺伝子の前記第１の遺伝子型トポグラフィと、前記各遺伝子−遺伝子ペアについての前記各第２の遺伝子の各第２の遺伝子型トポグラフィとに基づいて定められる、前記定める動作；
前記複数の遺伝子−遺伝子ペアトポグラフィのうちの各々についての定量的スコアを、前記第１の遺伝子の前記第１の遺伝子型トポグラフィと、前記各遺伝子−遺伝子ペアについての前記各第２の遺伝子の前記第２の遺伝子型トポグラフィとの間の相関関係に基づいて決定する動作；
選択された閾値を超えるスコアをそれぞれ有する、前記複数の遺伝子−遺伝子ペアトポグラフィのうちの１つ以上を選択する動作；及び
前記選択された１つ以上の遺伝子−遺伝子ペアトポグラフィの前記各第２の遺伝子をユーザに表示する動作
を実施する、前記コンピューティングデバイス。
［本発明１０５２］
前記プロセッサが、前記コンピュータ命令を実行するとき、ユーザにより選択された神経薬物標的が前記第１の遺伝子に関連することに基づいて前記第１の遺伝子を選択する動作を更に実施する、本発明１０５１のコンピューティングデバイス。
［本発明１０５３］
前記プロセッサが、前記コンピュータ命令を実行するとき、前記選択された１つ以上の遺伝子−遺伝子ペアトポグラフィの前記各第２の遺伝子に関連するそれぞれの神経薬物標的を１つ以上同定する動作を更に実施する、本発明１０５１のコンピューティングデバイス。
［本発明１０５４］
前記プロセッサが、前記各第２の遺伝子についての前記各遺伝子発現マッピングデータと前記第１の遺伝子についての前記各遺伝子発現マッピングデータとの間のアライメントに基づいて各遺伝子−遺伝子ペアトポグラフィについての統計的有意性を決定するための更なるコンピュータ命令を実行することにより、前記複数の遺伝子−遺伝子ペアトポグラフィのうちの各々についての前記スコアを決定する、本発明１０５１のコンピューティングデバイス。
［本発明１０５５］
前記プロセッサが、前記第１の遺伝子の前記第１の遺伝子型トポグラフィと、標的遺伝子−遺伝子ペアトポグラフィについての前記各第２の遺伝子の前記各第２の遺伝子型トポグラフィとの間の決定された関連性の程度が最も高い前記標的遺伝子−遺伝子ペアトポグラフィを選択するための更なるコンピュータ命令を実行することにより、前記１つ以上の遺伝子−遺伝子ペアトポグラフィを選択する、本発明１０５１のコンピューティングデバイス。
［本発明１０５６］
前記遺伝子発現マッピングデータが、複数の人々からの複数の遺伝子発現に関する遺伝子発現マッピングデータを含む、本発明１０５１のコンピューティングデバイス。
［本発明１０５７］
前記プロセッサが、前記複数の人々の前記複数の遺伝子発現における各遺伝子についての代表的プローブを選択するための更なるコンピュータ命令を実行することにより、前記複数の遺伝子型トポグラフィを生成する、本発明１０５６のコンピューティングデバイス。
［本発明１０５８］
前記プロセッサが、遺伝子発現マッピングサンプルを脳構造における部位にマッピングするための更なるコンピュータ命令を実行することにより、前記複数の遺伝子型トポグラフィを生成する、本発明１０５１のコンピューティングデバイス。
［本発明１０５９］
前記プロセッサが、バックグラウンドシグナルを超える閾値レベル未満の発現レベル測定値を有するサンプルを除外することによって遺伝子発現マッピングサンプルをフィルタリングするための更なるコンピュータ命令を実行することにより、前記複数の遺伝子型トポグラフィを生成する、本発明１０５１のコンピューティングデバイス。
［本発明１０６０］
前記プロセッサが、プローブ値が欠損している遺伝子発現マッピングサンプルにおいてプローブ値を補完するための更なるコンピュータ命令を実行することにより、前記複数の遺伝子型トポグラフィを生成する、本発明１０５１のコンピューティングデバイス。
［本発明１０６１］
前記プロセッサが、前記遺伝子発現マッピングデータから外的バイアスを除去するための更なるコンピュータ命令を実行することにより、前記複数の遺伝子型トポグラフィを生成する、本発明１０５１のコンピューティングデバイス。
［本発明１０６２］
前記プロセッサが、前記遺伝子発現マッピングデータを捕捉するために使用される遺伝子プローブにわたって平均値除去及びｚスコア正規化を行うための更なるコンピュータ命令を実行することにより、前記外的バイアスを除去する、本発明１０６１のコンピューティングデバイス。
［本発明１０６３］
前記プロセッサが、前記遺伝子発現マッピングデータにおけるシグナル対ノイズ比を高めるための更なるコンピュータ命令を実行することにより、前記複数の遺伝子型トポグラフィを生成する、本発明１０５１のコンピューティングデバイス。
［本発明１０６４］
前記プロセッサが、同じ表面頂点上にマッピングされたサンプルに関する前記遺伝子発現マッピングデータの発現レベルを平均化するための更なるコンピュータ命令を実行することにより、前記シグナル対ノイズ比を高める、本発明１０６３のコンピューティングデバイス。
［本発明１０６５］
前記プロセッサが、低密度遺伝子発現サンプルを、サンプリングされた脳領域から、他のサンプリングされていない脳領域に内挿するための更なるコンピュータ命令を実行することにより、前記複数の遺伝子型トポグラフィを生成する、本発明１０５１のコンピューティングデバイス。
［本発明１０６６］
前記プロセッサが、区画化された皮質マップもしくは皮質下マップ、または高密度の皮質マップもしくは皮質下マップのうちの少なくとも１つを生成するための更なるコンピュータ命令を実行することにより、前記低密度遺伝子発現サンプルを内挿する、本発明１０６５のコンピューティングデバイス。
［本発明１０６７］
前記プロセッサが、前記遺伝子発現マッピングデータにおける複数の脳領域のうちの各々に重み値を割り当てるための更なるコンピュータ命令を実行することにより、前記複数の遺伝子型トポグラフィを生成する、本発明１０５１のコンピューティングデバイス。
［本発明１０６８］
前記プロセッサが、
前記遺伝子発現マッピングデータにおける前記複数の脳領域のうちの第１の脳領域セットに対して閾値を超える第１の重み値セットを割り当て、かつ、
前記遺伝子発現マッピングデータにおける前記複数の脳領域のうちの第２の脳領域セットに対して前記閾値未満の第２の重み値セットを割り当てる
ための更なるコンピュータ命令を実行することにより、前記複数の脳領域のうちの各々に前記重み値を割り当てる、本発明１０６７のコンピューティングデバイス。
［本発明１０６９］
前記プロセッサが、標的脳領域に関連する情報を前記遺伝子発現マッピングデータから除去するように、前記複数の脳領域のうちの前記標的脳領域にマスキング重み値を割り当てるための更なるコンピュータ命令を実行することにより、前記複数の脳領域のうちの各々に前記重み値を割り当てる、本発明１０６７のコンピューティングデバイス。
［本発明１０７０］
前記プロセッサが、前記第１の遺伝子型トポグラフィと、第２の遺伝子の組み合わせに関する第２の遺伝子型トポグラフィの組み合わせとの間の少なくとも１つの組み合わせ遺伝子−遺伝子ペアトポグラフィを定めるための更なるコンピュータ命令を実行することにより、前記複数の遺伝子−遺伝子ペアトポグラフィを定める、本発明１０５１のコンピューティングデバイス。
［本発明１０７１］
前記プロセッサが、前記コンピュータ命令を実行するとき、
前記選択された閾値を超える前記スコアをそれぞれ有する、前記複数の遺伝子−遺伝子ペアトポグラフィのうちの前記１つ以上として、前記少なくとも１つの組み合わせ遺伝子−遺伝子ペアトポグラフィを選択する動作；及び
前記第２の遺伝子の組み合わせを前記ユーザに表示する動作
を更に行う、本発明１０７０のコンピューティングデバイス。
［本発明１０７２］
コンピューティングデバイスによって、複数の遺伝子についての遺伝子発現マッピングデータを得る工程；
前記コンピューティングデバイスによって、選択された遺伝子と１つ以上の他の遺伝子との間の各遺伝子−遺伝子ペアそれぞれについての定量的スコアを、前記選択された遺伝子についての前記遺伝子発現マッピングデータと、前記各遺伝子−遺伝子ペアの前記１つ以上の他の遺伝子についての前記遺伝子発現マッピングデータとの間の相関関係に基づいて決定する工程；及び
前記コンピューティングデバイスによって、各遺伝子−遺伝子ペアについて決定された前記スコアをユーザに提示する工程
を含む、方法。
［本発明１０７３］
神経薬物標的を同定する方法であって、
神経行動学的表現型を選択する工程；
遺伝子発現マッピングデータ及び神経行動学的表現型マッピングデータを処理する工程；
関連性のある神経表現型トポグラフィを定める工程；及び
前記神経薬物標的に関する遺伝子発現と前記神経行動学的表現型との間に関連性がある可能性を予測する工程
を含み、
方法の少なくとも１つの工程が、コンピュータ実装方法またはコンピュータ可読媒体のうちの１つを使用して実施される、
前記方法。
［本発明１０７４］
前記神経行動学的表現型マッピングデータを前処理する工程を更に含む、本発明１０７３の方法。
［本発明１０７５］
前記神経行動学的表現型マッピングデータを重み付けする工程またはマスキングする工程のうちの１つを更に含む、本発明１０７４の方法。
［本発明１０７６］
前記遺伝子発現マッピングデータから外的バイアスを除去する工程、または遺伝子発現マッピングデータのシグナル対ノイズ比を向上させる工程のうちの少なくとも１つを更に含む、本発明１０７３の方法。
［本発明１０７７］
前記関連性のある神経表現型トポグラフィを定める前記工程が、少なくとも１つの脳部位または領域に関連する前記遺伝子発現マッピングデータを前処理することを含む、本発明１０７３の方法。
［本発明１０７８］
前記遺伝子発現マッピングデータが、低密度サンプルレベル、内挿された高密度マップレベル、または離散的な区画化された脳マップレベルのうちの１つにおいて生じる、本発明１０７７の方法。
［本発明１０７９］
１つ以上の遺伝子発現値を、皮質における連続的な高密度部位、または皮質における離散的な部位に割り当てる工程を更に含む、本発明１０７３の方法。
［本発明１０８０］
前記神経行動学的表現型マッピングデータが、脳障害、症状、または認知プロセスのうちの１つに関するものである、本発明１０７３の方法。
［本発明１０８１］
神経薬物標的療法がオフターゲット脳領域に影響する可能性を予測する工程を更に含む、本発明１０７３の方法。
［本発明１０８２］
前記方法が、遺伝子発現マッピングデータを組み合わせることによって神経薬物標的の組み合わせを同定する工程を更に含み、前記組み合わされた遺伝子発現マッピングデータが、個々の神経薬物標的それぞれについての遺伝子発現マッピングデータと神経行動学的表現型マッピングデータとのアライメントと比べて向上した、前記神経行動学的表現型マッピングデータとのアライメントを呈する、本発明１０７３の方法。
［本発明１０８３］
神経行動学的表現型を同定する方法であって、
前処理された遺伝子発現マッピングデータを神経行動学的表現型マッピングデータとアラインする工程；及び
関連性のある神経の神経表現型トポグラフィを定める工程
を含む、前記方法。
［本発明１０８４］
前記遺伝子発現マッピングデータを前処理する工程を更に含む、本発明１０８３の方法。
［本発明１０８５］
前記遺伝子発現マッピングデータを重み付けする工程またはマスキングする工程のうちの１つを更に含む、本発明１０８４の方法。
［本発明１０８６］
外的バイアスを除去するかまたはシグナル対ノイズ比を向上させるかのいずれかのために前記遺伝子発現マッピングデータを前処理する工程を更に含む、本発明１０８４の方法。
［本発明１０８７］
前記関連性のある神経表現型トポグラフィを定める前記工程が、少なくとも１つの脳部位または領域に関連する前記遺伝子発現マッピングデータを前処理することを含む、本発明１０８３の方法。
［本発明１０８８］
前記遺伝子発現マッピングデータが、低密度サンプルレベル、内挿された高密度マップレベル、または離散的な区画化された脳マップレベルのうちの１つにおいて生じる、本発明１０８３の方法。
［本発明１０８９］
１つ以上の遺伝子発現値を、皮質における連続的な高密度部位、または皮質における離散的な部位に割り当てる工程を更に含む、本発明１０８３の方法。
［本発明１０９０］
前記神経行動学的表現型マッピングデータが、脳障害、症状、または認知プロセスのうちの１つに関するものである、本発明１０８３の方法。
［本発明１０９１］
神経薬物標的療法がオフターゲット脳領域に影響する可能性を予測する工程を更に含む、本発明１０８３の方法。
［本発明１０９２］
命令を記憶した非一時的コンピュータ可読媒体であって、前記命令が、コンピューティングデバイスによって実行されると、前記コンピューティングデバイスに、遺伝子発現マッピングデータと神経行動学的表現型マッピングデータとのアライメントを定量化すること；及び関連性のある神経の神経表現型トポグラフィを定めることを含む、治療標的を同定するためのオペレーションを行わせる、前記コンピュータ可読媒体。
［本発明１０９３］
命令を記憶した非一時的コンピュータ可読媒体であって、前記命令が、コンピューティングデバイスによって実行されると、前記コンピューティングデバイスに、遺伝子発現マッピングデータと神経行動学的表現型マッピングデータとのアライメントを定量化すること；及び関連性のある神経の神経表現型トポグラフィを定めることを含む、神経行動学的表現型を同定するためのオペレーションを行わせる、前記コンピュータ可読媒体。
［本発明１０９４］
遺伝子発現マッピングデータと神経行動学的表現型マッピングデータとのアライメントを分析するためのコンピュータ実装システムであって、
メモリと、
前記メモリに接続された１つ以上のプロセッサとを備え、
前記１つ以上のプロセッサが、遺伝子発現マッピングデータと神経行動学的表現型マッピングデータとのアライメントを定量化するように構成されている、
前記コンピュータ実装システム。